(57)【要約】【課題】硬化応力を低減してインサート部品と絶縁樹脂との界面剥離を防止可能な絶縁部品およびその製造方法を提供する。【解決手段】絶縁樹脂１を間に挟んで円筒体２の外周側を取り囲むようにシールド４が配置されている。円筒体２の円筒形状の内周面を、絶縁樹脂１を介在してシールド４側に向けて押し拡げるように円筒体２内に円柱導体３が配置されている。【選択図】図１
2010206969.tif 000002
【特許請求の範囲】
【請求項１】
円筒形状の第１のインサート部品と、
前記第１のインサート部品の外周側に位置する絶縁樹脂と、
前記絶縁樹脂を間に挟んで前記第１のインサート部品の外周側を取り囲むように配置されたリング形状の第２のインサート部品と、
前記第１のインサート部品の円筒形状の内周面を、前記絶縁樹脂を介在して前記第２のインサート部品側に向けて押し拡げるように前記第１のインサート部品内に配置された円柱体とを備えた、絶縁部品。
【請求項２】
円筒形状の第１のインサート部品の外周側を取り囲むようにリング形状の第２のインサート部品を配置する工程と、
前記第１および第２のインサート部品の間に絶縁樹脂を注入してインサート成形する工程と、
前記第１のインサート部品の円筒形状の内周面を、前記絶縁樹脂を介在して前記第２のインサート部品側に向けて押し拡げるように前記第１のインサート部品内に円柱体を挿入する工程とを備えた、絶縁部品の製造方法。
【請求項３】
前記第１のインサート部品内に前記円柱体を挿入する前記工程の前に、前記円柱体は前記第１のインサート部品の円筒形状の内径よりも大きな外径を有するように準備される、請求項２に記載の絶縁部品の製造方法。
【請求項４】
前記第１のインサート部品内に前記円柱体を挿入する前記工程の前に、前記第１のインサート部品内に設置した温度調節装置を用いて前記絶縁樹脂の温度を室温まで徐冷する工程をさらに備えた、請求項２または３に記載の絶縁部品の製造方法。
【発明の詳細な説明】
【技術分野】
【０００１】
本発明は、絶縁樹脂と導電体とのインサート成形により製造される絶縁部品およびその製造方法に関するものである。
【背景技術】
【０００２】
絶縁樹脂と導電体とのインサート成形により製造される絶縁部品では、製造時においてインサート品の導電体と絶縁樹脂との収縮率の差により硬化応力が発生し、導電体と絶縁樹脂との界面において剥離が発生する問題があった。一般には絶縁樹脂より導電体の方が収縮率が小さい。このため、リング状のインサート品では特に内面側（内周側の面）に引張方向の硬化応力が発生し、剥離が起きやすい。また製造時に剥離が生じていなくても、大きな硬化応力が残留した場合、使用時の温度変化でも同様に剥離の問題が生じる。
【０００３】
上記の剥離を防止する技術が、たとえば特開平１１−７８５４号公報（特許文献１）に記載されている。この公報には、インサート品としての金属性シールドリングを支持する支持棒が軟質金属製とされることで、インサート品が樹脂の収縮に追従して変形して剥離などが防止できると記載されている。
【先行技術文献】
【特許文献】
【０００４】
【特許文献１】特開平１１−７８５４号公報（図１）
【発明の概要】
【発明が解決しようとする課題】
【０００５】
上記公報に記載の絶縁成形体にあっては、インサート品やその支持部の剛性を落とすためにそれらの形状を最適化する必要がある。しかし、コスト、製造方法などの制約により、大幅には剛性を落とせないのが通常であり、十分に硬化応力を低減できない問題があった。
【０００６】
本発明は、上記の課題に鑑みてなされたものであり、その目的は、硬化応力を低減可能な絶縁部品およびその製造方法を提供することである。
【課題を解決するための手段】
【０００７】
本発明の絶縁部品は、円筒形状の第１のインサート部品と、絶縁樹脂と、リング形状の第２のインサート部品と、円柱体とを備えている。絶縁樹脂は第１のインサート部品の外周側に位置している。第２のインサート部品は、絶縁樹脂を間に挟んで第１のインサート部品の外周側を取り囲むように配置されている。円柱体は、第１のインサート部品の円筒形状の内周面を、絶縁樹脂を介在して第２のインサート部品側に向けて押し拡げるように第１のインサート部品内に配置されている。
【０００８】
本発明の絶縁部品の製造方法は以下の工程を備えている。
円筒形状の第１のインサート部品の外周側を取り囲むようにリング形状の第２のインサート部品が配置される。第１および第２のインサート部品の間に絶縁樹脂が注入されてインサート成形が行われる。第１のインサート部品の円筒形状の内周面を、絶縁樹脂を介在して第２のインサート部品側に向けて押し拡げるように第１のインサート部品内に円柱体が挿入される。
【発明の効果】
【０００９】
本発明によれば、第１のインサート部品の円筒形状の内周面を、絶縁樹脂を介在して第２のインサート部品側に向けて押し拡げるように第１のインサート部品内に円柱体が挿入される。これにより、収縮率の差により絶縁樹脂と第２のインサート部品との界面に発生する引張方向の硬化応力を圧縮方向に低減することができる。このため、その界面における剥離を抑制することができる。
【図面の簡単な説明】
【００１０】
【図１】本発明の実施の形態１における絶縁部品の構成を概略的に示す断面図である。
【図２】本発明の実施の形態１における絶縁部品の製造方法の第１工程を概略的に示す断面図である。
【図３】本発明の実施の形態１における絶縁部品の製造方法の第２工程を概略的に示す断面図である。
【図４】本発明の実施の形態１における絶縁部品の製造過程における熱硬化性樹脂の特性（温度、硬化応力）の時間変化を示す模式図である。
【図５】本発明の実施の形態１における絶縁部品から円筒体を省略した比較例の模擬品の構成を概略的に示す断面図である。
【図６】本発明の実施の形態１における絶縁部品の模擬品の構成を概略的に示す断面図である。
【図７】本発明の実施の形態２における絶縁部品の製造方法を概略的に示す断面図である。
【発明を実施するための形態】
【００１１】
以下、本発明の実施の形態について図に基づいて説明する。
（実施の形態１）
図１を参照して、本実施の形態の絶縁部品１０は、絶縁樹脂１と、円筒体（第１のインサート部品）２と、円柱導体（円柱体）３と、シールド（第２のインサート部品）４と、金具５とを主に有している。絶縁樹脂１は、たとえばエポキシ樹脂などの熱硬化性樹脂よりなっており、この絶縁樹脂１内には円筒体２、シールド４および金具５がインサート成形されている。
【００１２】
円筒体２は円筒形状を有している。この円筒体２の外周側に位置するように絶縁樹脂１が形成されている。この絶縁樹脂１は、たとえば円筒体２の外周面に接して、その外周面を取り囲むように形成されている。この絶縁樹脂１を間に挟んで円筒体２の外周側を取り囲むようにシールド４が配置されている。このシールド４は、たとえば円筒体２の外周側を取り囲むリング状の部分と、そのリング状の部分から外周側に延在する部分とを有している。シールド４の外周側に延びる部分には金具５が接続されている。
【００１３】
円筒体２の円筒形状の内周面を、絶縁樹脂１を介在してシールド４側に向けて押し拡げるように円筒体２内に円柱導体３が配置されている。この円柱導体３は、円筒体２内にたとえば圧入されることにより、円筒体２の内周面をシールド４側に向けて押し拡げるように配置されている。これにより、シールド４と絶縁樹脂１との界面に発生する絶縁樹脂１内の引張方向の硬化応力を圧縮方向に低減することができる。
【００１４】
この円柱導体３には電流が流れ、シールド４は金具５を通して外部とアース接続可能なように構成されている。円柱導体３およびシールド４には導電性が必要であり、一般的にはアルミニウム（Ａｌ）や銅（Ｃｕ）などの金属が使用されている。
【００１５】
なお絶縁樹脂１は、円筒体２の円筒部の少なくとも一部と、シールド４の全体とを内部に埋め込むように、かつ少なくとも金具５の一部が絶縁樹脂１から露出するように形成されている。
【００１６】
次に、本実施の形態の製造方法について説明する。
図２を参照して、円筒体２、シールド４および金具５が金型１１に固定され、十分に予熱される。この際、シールド４が円筒体２の外周側を取り囲むように円筒体２およびシールド４が金型１１に固定される。
【００１７】
この後、金型１１の樹脂注入口１２から金型１１内に絶縁樹脂１が注入される。この際、絶縁樹脂１は、円筒体２の外周面とシールド４の内周面との間、およびシールド４の外周側とに注入されて、インサート成形が行われる。
【００１８】
この後、絶縁樹脂１が所定の硬化温度に保持されて硬化する。この後、インサート成形された絶縁部品が金型１１から取り外される。その後、絶縁樹脂１がさらに硬化された後に絶縁部品が室温まで徐冷される。
【００１９】
図３を参照して、円筒体２の開口した端部から円柱導体３が円筒体２内に挿入される。この挿入の際には、円筒体２の円筒形状の内周面を、絶縁樹脂１を介在してシールド４側に向けて押し拡げるように円筒体２内に円柱導体３が挿入される。
【００２０】
この円柱導体３の挿入は、円柱導体３を円筒体２内にたとえば圧入することにより行われる。つまり上記挿入は、円柱導体３が上記挿入前において円筒体２の内径よりも大きい外径を有するように準備され、プレスなどで圧力をかけて円筒体２内に押し込まれることにより行われる。
【００２１】
円柱導体３を円筒体２に挿入するタイミングとしては、絶縁樹脂１の硬化過程、冷却過程および室温（使用環境）の３つが考えられる。図４を参照して、絶縁樹脂１の硬化過程では、絶縁樹脂１の硬化応力は発熱の影響があるものの硬化時の温度でほぼ一定であるが、ゲル化時間を過ぎた付近から増加し始める。硬化過程でシールド４の内周面と絶縁樹脂１との剥離が発生する場合には、シミュレーションや試作によって剥離発生時間を調べておき、その直前に円柱導体３を円筒体２内に挿入すれば剥離を防止することができる。
【００２２】
ただし絶縁樹脂１の硬化過程では応力緩和が起きやすい。このため、硬化過程で円柱導体３を円筒体２内に挿入しても、絶縁樹脂１内の引張方向の硬化応力を圧縮方向に十分に低減することが難しい。これにより、製造後の使用における剥離防止の効果が少ないため、硬化過程後に円柱導体３を円筒体２内に挿入することが好ましい。
【００２３】
図４に示す冷却過程では、温度の低下とともに絶縁樹脂１の硬化応力が増加し、ガラス転移温度以下になるとほぼ線形に増加する。冷却過程で剥離が発生する場合は、シミュレーションや試作によって剥離発生温度を調べておき、その直前の温度で円柱導体３を円筒体２内に挿入すれば剥離を防止することができる。
【００２４】
また製造時の硬化応力低減を目的とする場合、ガラス転移温度より高温では応力緩和が起きやすい。このため、ガラス転移温度よりも低温で円柱導体３を円筒体２内に挿入することが好ましい。図４に示す室温、またはそれ以降の使用環境で剥離が発生する場合には、室温まで冷却後に円柱導体３が円筒体２内に挿入されればよい。
【００２５】
本実施の形態によれば、絶縁樹脂１の製造時に円柱導体３が円筒体２内に挿入される。これにより、円筒体２を介在して絶縁樹脂１に半径方向の圧力（内周側から外周側への圧力）が付与される。このため、収縮率の差によりシールド４と絶縁樹脂１との界面に発生する引張方向の硬化応力を圧縮方向に低減することができる。よって、その界面における剥離を抑制することができる。
【００２６】
なお円筒体２と円柱導体３との界面に部分放電が発生する可能性があるため、円柱導体３は金属や導電性樹脂などの導電体であることが望ましい。ただし円筒体２と円柱導体３とを接着処理するなど界面に剥離が発生しない場合には、円柱導体３に絶縁性の樹脂を採用することも可能である。
【００２７】
（実施の形態２）
上記の実施の形態１における製造過程において、円柱導体３を円筒体２内に挿入する前に、図７に示すようにたとえばヒータや冷却配管からなる温度調節装置８が円筒体２内に挿入され、絶縁樹脂１などの温度が温度調節装置８により調整されてもよい。この際、絶縁部品を金型から取り外すまで、または室温に冷却するまで、温度調節装置８により絶縁樹脂１などの温度が調整されてから、温度調節装置８が円筒体２内から取り外される。この後、上記の実施の形態１の製造方法と同様に、円柱導体３が円筒体２内に挿入されて、絶縁部品が製造される。
【００２８】
たとえば室温まで徐冷する時には絶縁部品はその表面から冷却されるため、絶縁部品内に温度分布が発生する。したがって、絶縁樹脂１とインサート品（円筒体２、円柱導体３、金具５）との間の通常の線膨張係数差による熱応力だけでなく、この温度分布による熱応力も加わる。
【００２９】
しかし本実施の形態では、温度調節装置８を用いて円筒体２の内部からも冷却することができる。このため、絶縁部品の内部と表面との温度差が少なくなって絶縁部材をより均一に冷却することができる。これにより、熱応力を防ぐことができる上に、徐冷時間を短縮できる効果も得られる。
【００３０】
以上より、本実施の形態の製造方法によれば、温度調節による徐冷過程の剥離を防ぎ、円柱導体３の挿入のタイミングを冷却過程や室温にすることで、応力緩和による応力低減効果の減少を防ぐことができる。
【実施例】
【００３１】
次に、本実施の形態の効果について本発明者らが調べた内容について説明する。
まず絶縁部品を模擬した図５および図６に示す円柱部品を想定した。図５は比較例としての円柱部品の断面形状を示し、図６は本発明の実施例としての代表的な円柱部品の断面形状を示している。
【００３２】
図５に示す比較例の円柱部品においては、中心に銅製の円柱導体３があり、その周囲をエポキシ樹脂１と、アルミニウム製のシールド４と、エポキシ樹脂１とがこの順で覆っている。外周側のエポキシ樹脂１の外径φ１は５００ｍｍであり、シールド４の外径φ２は４００ｍｍであり、内周側のエポキシ樹脂１の外径φ３は３６０ｍｍであり、円柱導体３の外径φ４は１００ｍｍである。
【００３３】
比較例の円柱部品は、円柱導体３とシールド４とをエポキシ樹脂１でインサート成形することにより製造されたものとする。
【００３４】
一方、図６に示す実施例の円柱部品においては、中心に銅製の円柱導体３があり、その周囲を円筒体２と、エポキシ樹脂１と、アルミニウム製のシールド４と、エポキシ樹脂１とがこの順で覆っている。外周側のエポキシ樹脂１の外径φ１は５００ｍｍであり、シールド４の外径φ２は４００ｍｍであり、内周側のエポキシ樹脂１の外径φ３は３６０ｍｍであり、円筒体２の外径は１００ｍｍであり、円柱導体３の外径φ５は９８ｍｍである。
【００３５】
実施例の円柱部品は、１ｍｍ厚の円筒体２を使用してエポキシ樹脂を注入した後に円柱導体３（外径が円柱導体の内径よりδｍｍだけ大きい）を円筒体２内に挿入することにより製造されたものとする。
【００３６】
また比較例および実施例のそれぞれのエポキシ樹脂１と、円柱導体３と、シールド４との各特性（ヤング率、ポアソン比、線膨張係数）を表１に示す。
【００３７】
【表１】
2010206969.tif 000003
【００３８】
上記の比較例および実施例のそれぞれにおいて、エポキシ樹脂の硬化温度を１２５℃とし、その硬化温度から室温まで冷却した場合のエポキシ樹脂内の応力値を、表１の物性値を用いた有限要素法による解析で求めた。その結果を表２に示す。
【００３９】
なお剥離が主として発生するのはシールド４とエポキシ樹脂１との界面であるため、表２の応力値はその界面に垂直な半径方向の応力である。
【００４０】
【表２】
2010206969.tif 000004
【００４１】
図５の比較例におけるエポキシ樹脂１の応力は８．２ＭＰａであった。また図６の実施例における円柱導体３の挿入前のエポキシ樹脂１の応力は８．７ＭＰａであった。また図６の実施例において、たとえばδ＝０．０５ｍｍの円柱導体３を円筒体２内に挿入することにより、エポキシ樹脂１の応力を５．８ＭＰａまで下げることができた。また図６の実施例において、たとえばδ＝０．１ｍｍの円柱導体３を円筒体２内に挿入することにより、エポキシ樹脂１の応力を５．１ＭＰａまで下げることができた。
【００４２】
なおδが大きいほどエポキシ樹脂１内の応力を低減できるが、一方で円柱導体３の挿入時に生じる円筒体２周囲の周方向応力の増加が懸念される。このため、たとえば図６の比較例ではδは最大でも０．１ｍｍ程度であると考えられる。
【００４３】
円柱導体３の円筒体２内への挿入には基本的に圧入が採用される。しかし、円柱導体３の挿入時における円柱導体３と円筒体２との摩擦による焼付きが懸念される場合は、円柱導体３の円筒体２内への挿入時に円筒体２および円柱導体３のいずれかが冷却されていてもよい。
【００４４】
たとえば図６において１００ｍｍの内径φ５を有する円筒体２内に、たとえばδ＝０．０５ｍｍの円柱導体３を挿入するためには、円筒体２の円柱導体３に対する温度差ΔＴは以下の計算式より３０℃以上必要である。
【００４５】
ΔＴ＝δ／｛φ５×α（銅）｝＝０．０５ｍｍ／｛９８ｍｍ×１７×１０-6｝≒３０℃
このため、たとえば室温（２５℃）で円筒体２内に円柱導体３を挿入する場合、円筒体２は−５℃以下に冷却された状態で円柱導体３を挿入されればよい。
【００４６】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４７】
本発明は、絶縁樹脂と導電体とのインサート成形により製造される絶縁部品およびその製造方法に特に有利に適用され得る。
【符号の説明】
【００４８】
１  絶縁樹脂、２  円筒体、３  円柱導体、４  シールド、５  金具、８  温度調節装置、１０  絶縁部品、１１  金型、１２  樹脂注入口。
【図１】
2010206969.tif 000005
【図２】
2010206969.tif 000006
【図３】
2010206969.tif 000007
【図４】
2010206969.tif 000008
【図５】
2010206969.tif 000009
【図６】
2010206969.tif 000010
【図７】
2010206969.tif 000011